(57)【特許請求の範囲】
【請求項１】
折り畳み可能人工心臓弁のための送達装置であって、
区画が周囲に画定されている支持シャフトであって、前記区画は、前記弁を組み付け状態で受け入れるようになっている、支持シャフトと、
前記支持シャフト内を通って延在するとともに前記支持シャフトに対してその長手方向軸に沿って摺動するようになっている内部シャフトであって、中を通る管腔を有する、内部シャフトと、
前記内部シャフトの遠位端に作動的に接続されている遠位先端部と、
前記遠位先端部と前記区画との間に介在し且つ前記折り畳み可能人工心臓弁を保持するようになっている遠位リテーナと、
前記遠位リテーナと前記遠位先端部との間に画定されているポケットと、
前記区画の近位端に位置する近位リテーナと、
その遠位端において前記内部シャフトに作動的に接続されているとともに前記内部シャフトとともに摺動可能である遠位シースであって、前記区画及び前記弁を選択的に覆い又は露出させるようになっており、前記ポケットが前記遠位シース内に配置され、円筒形間隙が前記遠位シースの自由端と前記近位リテーナとの間に画定されている、遠位シースと、
前記内部シャフトの前記管腔と前記区画との間に流れ連通をもたらす第１の流路であって、前記第１の流路は、前記内部シャフトの壁に、前記内部シャフトの前記管腔と前記ポケットとの間に流れ連通をもたらす開口部を備え、前記開口部は、前記遠位リテーナと前記遠位先端部との間に位置する、第１の流路と、
前記ポケットと前記区画との間に流れ連通をもたらす第２の流路と、
を備える、折り畳み可能人工心臓弁のための送達装置。
【請求項２】
前記第２の流路は、前記遠位リテーナに少なくとも１つの貫通孔を備える、請求項１に記載の送達装置。
【請求項３】
折り畳み可能人工心臓弁のための送達装置であって、
区画が周囲に画定されている支持シャフトであって、前記区画は、前記弁を組み付け状態で受け入れるようになっている、支持シャフトと、
前記支持シャフト内を通って延在するとともに前記支持シャフトに対してその長手方向軸に沿って摺動するようになっている内部シャフトであって、中を通る管腔を有する、内部シャフトと、
前記内部シャフトの遠位端に作動的に接続されている遠位先端部と、
前記遠位先端部と前記区画との間に介在し且つ前記折り畳み可能人工心臓弁を保持するようになっている遠位リテーナと、
前記遠位リテーナと前記遠位先端部との間に画定されているポケットと、
前記区画の近位端に位置する近位リテーナと、
その遠位端において前記内部シャフトに作動的に接続されているとともに前記内部シャフトとともに摺動可能である遠位シースであって、前記区画及び前記弁を選択的に覆い又は露出させるようになっており、前記ポケットが前記遠位シース内に配置され、円筒形間隙が前記遠位シースの自由端と前記近位リテーナとの間に画定されている、遠位シースと、
前記内部シャフトの前記管腔と前記ポケットとの間に流れ連通をもたらす第１の流路と、
前記ポケットと前記区画との間に流れ連通をもたらす第２の流路と、
前記遠位先端部と前記ポケットとの間に配置されているとともに前記内部シャフトの前記管腔と前記ポケットとの間に前記第１の流路をもたらすインサートであって、前記インサートは、前記管腔と前記ポケットとの間に延在する１つ又は複数の液体通路を備える、インサートと、
を備える、折り畳み可能人工心臓弁のための送達装置。
【請求項４】
折り畳み可能人工心臓弁のための送達システムであって、
区画が周囲に画定されている支持シャフトであって、前記区画は、前記弁を組み付け状態で受け入れるようになっている、支持シャフトと、
前記支持シャフト内を通って延在するとともに前記支持シャフトに対してその長手方向軸に沿って摺動するようになっている内部シャフトであって、中を通って送達装置の外部と流れ連通している管腔を有する、内部シャフトと、
前記内部シャフトの遠位端に作動的に接続されている遠位先端部と、
前記遠位先端部と前記区画との間に介在し且つ前記折り畳み可能人工心臓弁を保持するようになっている遠位リテーナと、
前記遠位リテーナと前記遠位先端部との間に画定されているポケットと、
前記区画の近位端に位置する近位リテーナと、
その遠位端において前記内部シャフトに作動的に接続されているとともに前記内部シャフトとともに摺動可能である遠位シースであって、前記区画及び前記弁を選択的に覆い又は露出させるようになっており、前記ポケットが前記遠位シース内に配置され、円筒形間隙が前記遠位シースの自由端と前記近位リテーナとの間に画定されている、遠位シースと、
前記内部シャフトの前記管腔と前記区画との間に流れ連通をもたらす第１の流路であって、前記第１の流路は、前記内部シャフトの壁に、前記内部シャフトの前記管腔と前記ポケットとの間に流れ連通をもたらす開口部を備え、前記開口部は、前記遠位リテーナと前記遠位先端部との間に位置する、第１の流路と、
前記ポケットと前記区画との間に流れ連通をもたらす第２の流路と、
該送達装置に接続して、前記内部シャフトの前記管腔と該送達装置の前記外部との間の前記流れ連通を遮断するようになっている着脱可能プラグと、
を備える、折り畳み可能人工心臓弁のための送達システム。
【請求項５】
前記内部シャフトの近位端に接続して、該内部シャフトの該近位端に液密シールを生成するようになっている着脱可能キャップを更に備える、請求項４に記載の送達システム。
【請求項６】
フラッシュ液を前記遠位先端部を通して前記区画に供給するようになっている中空ニードルシャフトを有するフラッシュニードルと、
を更に備える、請求項４に記載の送達システム。
【請求項７】
前記第２の流路は、前記遠位リテーナに少なくとも１つの貫通孔を備える、請求項４に記載の送達システム。
【請求項８】
折り畳み可能人工心臓弁のための送達システムであって、
区画が周囲に画定されている支持シャフトであって、前記区画は、前記弁を組み付け状態で受け入れるようになっている、支持シャフトと、
前記支持シャフト内を通って延在するとともに前記支持シャフトに対してその長手方向軸に沿って摺動するようになっている内部シャフトであって、中を通って送達装置の外部と流れ連通している管腔を有する、内部シャフトと、
前記内部シャフトの遠位端に作動的に接続されている遠位先端部と、
前記遠位先端部と前記区画との間に介在し且つ前記折り畳み可能人工心臓弁を保持するようになっている遠位リテーナと、
前記遠位リテーナと前記遠位先端部との間に画定されているポケットと、
前記区画の近位端に位置する近位リテーナと、
遠位端において前記内部シャフトに作動的に接続されているとともに前記内部シャフトとともに摺動可能である遠位シースであって、前記区画及び前記弁を選択的に覆い又は露出させるようになっており、前記ポケットが前記遠位シース内に配置され、円筒形間隙が前記遠位シースの自由端と前記近位リテーナとの間に画定されている、遠位シースと、
前記内部シャフトの前記管腔と前記ポケットとの間に流れ連通をもたらす第１の流路と、
前記ポケットと前記区画との間に流れ連通をもたらす第２の流路と、
該送達装置に接続して、前記内部シャフトの前記管腔と該送達装置の前記外部との間の前記流れ連通を遮断するようになっている着脱可能プラグと、
前記遠位先端部と前記ポケットとの間に配置されているとともに前記内部シャフトの前記管腔と前記ポケットとの間に前記第１の流路をもたらすインサートであって、前記インサートは、前記管腔と前記ポケットとの間に延在する１つ又は複数の液体通路を備える、インサートと、
を備える、折り畳み可能人工心臓弁のための送達システム。
【請求項９】
折り畳み可能人工心臓弁のための送達装置をフラッシュする方法であって、
区画が周囲に画定されている支持シャフトと、前記支持シャフト内を通って延在するとともに前記支持シャフトに対してその長手方向軸に沿って摺動するようになっており、内部を貫通する管腔を備える内部シャフトと、前記内部シャフトの遠位端に作動的に接続されている遠位先端部と、前記遠位先端部と前記区画との間に介在し且つ前記折り畳み可能人工心臓弁を保持するようになっている遠位リテーナと、前記内部シャフトに作動的に接続されている遠位端、及び近位端を有し、前記内部シャフトとともに摺動可能である遠位シースとを備える送達装置を準備するステップと、
折り畳み可能人工心臓弁を前記区画に取り付けるステップと、
前記遠位シースを摺動させて、前記区画及び前記弁を覆う、摺動させるステップと、
液体を前記区画の遠位端から該区画の近位端に該区画を通してフラッシュするステップと、
を含み、
前記フラッシュするステップは、前記液体を、前記内部シャフトの前記管腔から前記内部シャフトの壁の開口部を通して且つ前記遠位リテーナを横切って、前記区画に流すステップであって、前記開口部は前記遠位リテーナと前記遠位先端部との間において前記遠位シース内に位置する、ステップを含み、前記フラッシュするステップは、前記液体を、前記遠位シースの前記近位端における開口を通して前記区画の外に流すステップを含む、折り畳み可能人工心臓弁のための送達装置をフラッシュする方法。
【請求項１０】
前記フラッシュするステップは、前記液体を、前記内部シャフトの近位端から前記内部シャフトの遠位端に向かう方向に前記内部シャフト内の前記管腔を通して流すステップと、前記液体を、前記内部シャフトの前記管腔から前記区画に流すステップとを含む、請求項９に記載の方法。
【請求項１１】
折り畳み可能人工心臓弁のための送達装置をフラッシュする方法であって、
区画が周囲に画定されている支持シャフトと、前記支持シャフト内を通って延在するとともに前記支持シャフトに対してその長手方向軸に沿って摺動するようになっている内部シャフトであって、中を通る管腔を有する、内部シャフトと、前記内部シャフトの遠位端に作動的に接続されている遠位先端部と、前記遠位先端部と前記区画との間に介在し且つ前記折り畳み可能人工心臓弁を保持するようになっている遠位リテーナと、前記内部シャフトに作動的に接続されている遠位端、及び近位端を有し、前記内部シャフトとともに摺動可能である遠位シースとを備える送達装置を準備するステップと、
折り畳み可能人工心臓弁を前記区画に取り付けるステップと、
前記遠位シースを摺動させて、前記区画及び前記弁を覆う、摺動させるステップと、
液体を前記区画の遠位端から該区画の近位端に該区画を通してフラッシュするステップと、
を含み、
前記送達装置は、前記遠位リテーナと前記遠位先端部との間に画定されているポケットと、インサートであって、前記遠位先端部と前記ポケットとの間に配置されているとともに前記内部シャフトの前記管腔と前記ポケットとの間に流れ連通をもたらす、インサートとを更に備え、前記フラッシュするステップは、前記液体を、前記内部シャフトの前記管腔から前記インサートを通して前記ポケットに流し、前記ポケットから前記遠位リテーナを通して前記区画に流すステップを含み、前記フラッシュするステップは、前記液体を、前記遠位シースの前記近位端における開口を通して前記区画の外に流すステップを含む、折り畳み可能人工心臓弁のための送達装置をフラッシュする方法。
【請求項１２】
前記フラッシュするステップは、前記液体を、前記内部シャフトの遠位端から前記内部シャフトの近位端に向かう方向に前記内部シャフト内の前記管腔を通して流すステップと、前記液体を前記内部シャフトの前記管腔から前記区画に流すステップとを含む、請求項９に記載の方法。
【発明の詳細な説明】
【技術分野】
【０００１】
本発明は、人工心臓弁の取り替えに関し、より詳細には、折り畳み可能な人工心臓弁の
経カテーテル送達のための装置、システム、及び方法に関する。
【０００２】
［関連出願の相互参照］
本出願は、２０１０年９月１７日に出願された「Improved Preparation Methods for T
ranscatheter Heart Valve Delivery Systems」という発明の名称の米国特許出願第６１
／３８３，９８２号の利益を主張し、その特許出願の開示は引用することにより本明細書
の一部をなすものとする。
【背景技術】
【０００３】
比較的小さな周方向寸法に折り畳み可能である人工心臓弁は、折り畳み可能でない弁よ
りも低い侵襲性で患者の体内に送達することができる。例えば、折り畳み可能弁は、カテ
ーテル、トロカール、腹腔鏡手術器具等のようなチューブ状送達機器を介して患者の体内
に送達することができる。この折り畳み可能性によって、全開胸開心手術等のより侵襲性
の高い手技の必要性を回避することができる。
【０００４】
折り畳み可能人工心臓弁は、通常、ステントに取り付けられた弁構造体の形態を取る。
弁構造体が通例取り付けられるステントには、自己拡張型ステント及びバルーン拡張式ス
テントの２つのタイプがある。そのような弁を送達機器内に配置し、最終的には患者の体
内に配置するには、その弁を先ず折り畳むか又はクリンプして、その周方向寸法を縮小し
なければならない。
【０００５】
折り畳まれた人工弁が患者の所望の移植部位（例えば、その人工弁に取り替えられる患
者の心臓弁の弁輪又は当該弁輪の近く）に達したとき、その人工弁を送達機器から配備又
は解放して完全な動作寸法に再拡張することができる。バルーン拡張式弁の場合、これは
、一般に、弁全体を解放し、その適切な位置を確実にし、次いで弁ステント内に位置決め
されているバルーンを拡張することを伴う。他方、自己拡張型弁の場合、弁を覆うシース
が引き抜かれると、ステントは、自動的に拡張を開始する。自己拡張型弁は、完全に配備
されると、弁をそれまで折り畳み状態で保持していたシースの直径よりも大きな直径に拡
張する。
【発明の概要】
【発明が解決しようとする課題】
【０００６】
折り畳み可能人工心臓弁送達プロセスに対してなされてきた様々な改良にもかかわらず
、従来の送達装置、送達システム、及び送達方法には、幾つかの欠点がある。したがって
、折り畳み可能人工心臓弁の経カテーテル送達のための装置、システム、及び方法に更に
改良を行う必要がある。
【課題を解決するための手段】
【０００７】
折り畳み可能人工心臓弁のための送達装置、折り畳み可能人工心臓弁のための送達シス
テム、及び折り畳み可能人工心臓弁のための送達装置をフラッシュする方法が開示される
。
【０００８】
折り畳み可能人工心臓弁のための送達装置が、
区画が周囲に画定されている支持シャフトであって、前記区画は、前記弁を組み付け状
態で受け入れるようになっている、支持シャフトと、
前記支持シャフト内を通って延在するとともに前記支持シャフトに対してその長手方向
軸に沿って摺動するようになっている内部シャフトであって、中を通る管腔を有する、内
部シャフトと、
遠位端において前記内部シャフトに作動的に接続されているとともに前記内部シャフト
とともに摺動可能である遠位シースであって、前記区画及び前記弁を選択的に覆い又は露
出させるようになっている、遠位シースと、
前記内部シャフトの前記管腔と前記区画との間に流れ連通をもたらす第１の流路と、
を備える。
【０００９】
前記送達装置は、前記内部シャフトの遠位端に作動的に接続されている遠位先端部と、
前記遠位先端部と前記区画との間に介在している遠位リテーナと、
前記遠位リテーナと前記遠位先端部との間に画定されているポケットと、
を備えることもできる。前記送達装置は、前記ポケットと前記区画との間に流れ連通をも
たらす第２の流路を備えることもできる。前記第２の流路は、前記遠位リテーナに少なく
とも１つの貫通孔を備えることができる。前記第１の流路は、前記内部シャフトの壁に、
前記内部シャフトの前記管腔と前記ポケットとの間に流れ連通をもたらす開口部を備える
ことができる。前記送達装置は、インサートであって、前記ポケットに配置されていると
ともに該インサートと前記遠位先端部との間に空き空間を画定している、インサートを備
えることもでき、前記空き空間は、前記内部シャフトの前記管腔と流れ連通し、前記イン
サートは、前記空き空間と前記ポケットとの間に延在する１つ又は複数の液体通路を備え
る。前記送達装置は、前記区画の近位端に位置する近位リテーナと、
前記遠位シースの自由端と前記近位リテーナとの間に画定されている円筒形間隙と、
を備えることもできる。
【００１０】
折り畳み可能人工心臓弁のための送達装置が、
区画が周囲に画定されている支持シャフトであって、前記区画は、前記弁を組み付け状
態で受け入れるようになっている、支持シャフトと、
前記支持シャフト内を通って延在するとともに前記支持シャフトに対してその長手方向
軸に沿って摺動するようになっている内部シャフトであって、中を通る管腔を有する、内
部シャフトと、
前記内部シャフトに作動的に接続されている遠位端を有するとともに前記内部シャフト
とともに摺動可能である遠位シースであって、前記区画及び前記弁を選択的に覆い又は露
出させるようになっている、遠位シースと、
前記内部シャフトの遠位端に作動的に接続されている遠位先端部であって、該送達装置
の外部と前記区画との間に流れ連通をもたらす通路を有する、遠位先端部と、
を備える。前記通路は、液体が該通路を通って前記区画から前記送達装置の前記外部に流
れることができないように自己密封するようになっていることができる。
【００１１】
折り畳み可能人工心臓弁のための送達システムであって、
区画が周囲に画定されている支持シャフトであって、前記区画は、前記弁を組み付け状
態で受け入れるようになっている、支持シャフトと、
前記支持シャフト内を通って延在するとともに前記支持シャフトに対してその長手方向
軸に沿って摺動するようになっている内部シャフトであって、中を通って該送達装置の外
部と流れ連通している管腔を有する、内部シャフトと、
遠位端において前記内部シャフトに作動的に接続されているとともに前記内部シャフト
とともに摺動可能である遠位シースであって、前記区画及び前記弁を選択的に覆い又は露
出させるようになっている、遠位シースと、
前記内部シャフトの前記管腔と前記区画との間に流れ連通をもたらす第１の流路と、
該送達装置に接続して、前記内部シャフトの前記管腔と該送達装置の前記外部との間の
前記流れ連通を遮断するようになっている着脱可能プラグと、
を備える。
【００１２】
前記送達システムは、前記内部シャフトの近位端に接続して、該内部シャフトの該近位
端に液密シールを生成するようになっている着脱可能キャップを備えることもできる。前
記送達システムは、前記内部シャフトの遠位端に作動的に接続されている遠位先端部と、
フラッシュ液を前記遠位先端部を通して前記区画に供給するようになっている中空ニー
ドルシャフトを有するフラッシュニードルと、
を備えることもできる。前記送達システムは、前記内部シャフトの遠位端に作動的に接続
されている遠位先端部と、
前記遠位先端部と前記区画との間に介在している遠位リテーナと、
前記遠位リテーナと前記遠位先端部との間に画定されているポケットと、
を備えることもできる。前記送達システムは、前記ポケットと前記区画との間に流れ連通
をもたらす第２の流路を備えることもできる。前記第２の流路は、前記遠位リテーナに少
なくとも１つの貫通孔を備えることができる。前記第１の流路は、前記内部シャフトの壁
に、前記内部シャフトの前記管腔と前記ポケットとの間に流れ連通をもたらす開口部を備
えることができる。前記送達装置は、インサートであって、前記ポケットに配置されてい
るとともに該インサートと前記遠位先端部との間に空き空間を画定している、インサート
を備えることもでき、前記空き空間は、前記内部シャフトの前記管腔と流れ連通し、前記
インサートは、前記空き空間と前記ポケットとの間に延在する１つ又は複数の液体通路を
備える。
【００１３】
折り畳み可能人工心臓弁のための送達装置をフラッシュする方法が、
区画が周囲に画定されている支持シャフトと、前記支持シャフト内を通って延在すると
ともに前記支持シャフトに対してその長手方向軸に沿って摺動するようになっている内部
シャフトと、前記内部シャフトに作動的に接続されている遠位端、及び近位端を有し、前
記内部シャフトとともに摺動可能である遠位シースとを備える送達装置を準備するステッ
プと、
折り畳み可能人工心臓弁を前記区画に取り付けるステップと、
前記遠位シースを摺動させて、前記区画及び前記弁を覆う、摺動させるステップと、
液体を前記区画の遠位端から該区画の近位端に該区画を通してフラッシュするステップ
と、
を含む。
【００１４】
前記フラッシュするステップは、前記液体を、前記遠位シースの前記近位端における開
口を通して前記区画の外に流すステップを含むことができる。前記フラッシュするステッ
プは、前記液体を、前記内部シャフトの近位端から前記内部シャフトの遠位端に向かう方
向に前記内部シャフト内の管腔を通して流すステップと、前記液体を、前記内部シャフト
の前記管腔から前記区画に流すステップとを含むことができる。前記フラッシュするステ
ップは、前記液体を、前記内部シャフトの前記管腔から前記区画に前記内部シャフトの壁
にある開口部を通して流すステップを含むことができる。前記送達装置は、前記内部シャ
フトの前記遠位端に作動的に接続されている遠位先端部と、前記遠位先端部と前記区画と
の間に介在している遠位リテーナと、前記遠位リテーナと前記遠位先端部との間に画定さ
れているポケットと、インサートであって、前記ポケットに配置されているとともに該イ
ンサートと前記遠位先端部との間に空き空間を画定している、インサートとを備えること
もできる。前記フラッシュするステップは、前記液体を、前記内部シャフトの前記管腔か
ら前記空き空間に流し、前記空き空間から前記インサートを通して前記ポケットに流し、
前記ポケットから前記遠位リテーナを通して前記区画に流すステップを含むことができる
。前記フラッシュするステップは、前記液体を、前記内部シャフトの遠位端から前記内部
シャフトの近位端に向かう方向に前記内部シャフト内の管腔を通して流すステップと、前
記液体を前記内部シャフトの前記管腔から前記区画に流すステップとを含むことができる
。前記送達装置は、前記内部シャフトの遠位端に作動的に接続されている遠位先端部を備
えることもでき、前記遠位先端部は通路を有する。前記フラッシュするステップは、前記
液体を、前記通路を通して前記区画の前記遠位端に流すステップを含むことができる。
【００１５】
次に、本発明の様々な実施形態を、添付図面を参照して論述することにする。これらの
図面は、本発明の幾つかの実施形態しか示しておらず、したがって、本発明の範囲を限定
するものとみなされるべきでないことが理解される。
【図面の簡単な説明】
【００１６】
【図１】部分断面で示されるとともに、装置に液体をフラッシュする例示の流れを示す、本発明の一実施形態による折り畳み可能人工心臓弁のための経心尖送達装置の非常に概略的な側面図である。
【図２】図１の送達装置における使用に好適な液体連通アセンブリの拡大部分断面図である。
【図３】フラッシュニードルを有する部分断面で示された、本発明の別の実施形態による折り畳み可能人工心臓弁のための経心尖送達装置の非常に概略的な側面図である。
【図４】フラッシュニードルを有する部分断面で示された、本発明の更なる実施形態による折り畳み可能人工心臓弁のための経心尖送達装置の非常に概略的な側面図である。
【発明を実施するための形態】
【００１７】
「近位」及び「遠位」という用語は、本明細書において用いられるとき、開示された送
達装置を用いる使用者（例えば、外科医又はインターベンショナルカーディオロジスト（
interventional cardiologist））に対するものとみなされるべきである。「近位」は、
使用者に相対的に近いと解釈されるべきであり、「遠位」は、使用者から相対的により遠
く離れていると解釈されるべきである。
【００１８】
図１を参照すると、折り畳み可能人工心臓弁６のための一例示の経心尖送達装置１０が
、近位端（図示せず）から遠位先端部１４まで延在し、目標位置に心臓弁を送達してその
目標位置に心臓弁を配備するためのカテーテルアセンブリ１６を備える。カテーテルアセ
ンブリ１６は、折り畳み可能人工心臓弁６を、支持シャフト２１の周囲に画定された区画
２３に組み付け状態で受け入れるようになっている。遠位シース２４が、人工心臓弁６を
覆うとともに折り畳み状態に維持する閉位置と、この弁の配備のための開位置との間で摺
動して動くように動作可能である。
【００１９】
支持シャフト２１は、当該支持シャフトに固定（affixed）されて区画２３の端を画定
する一対の離間したリテーナ１７及び３０の間に延在する。リテーナ３０は、人工心臓弁
６の大動脈端を保持するようになっている。送達装置は、外部シャフト２２を更に備え、
この外部シャフトの遠位端は、リテーナ１７に接続され、この外部シャフトの近位端は、
必要に応じて、遠位シース２４を支持シャフト２１に対して摺動させるときに使用者が保
持することができるハブ（図示せず）に接続することができる。
【００２０】
内部シャフト２６が、遠位先端部１４へ接続するように送達装置の近位端から外部シャ
フト２２及び支持シャフト２１内を通って延在する。内部シャフト２６は、その中を通る
ガイドワイヤ（図示せず）を受け入れるための管腔２５を有する。開口部２７が、管腔２
５とポケット４３との間に流体連通をもたらすようにリテーナ３０の遠位において内部シ
ャフト２６の側壁に形成されている。このポケットは、リテーナ３０と、遠位先端部１４
に固定されたインサート４０との間に画定されている。内部シャフト２６は、必要に応じ
て、例えば、図３に示すように、ルアーロック結合を含むハブに接続することができる。
【００２１】
遠位先端部１４は、内部シャフト２６の管腔２５と軸方向に位置合わせされているガイ
ドワイヤ管腔１３を有する。遠位先端部１４の遠位端に液密シールを生成するための着脱
可能プラグ２８を管腔１３の遠位端に配置することができる。例えば、プラグ２８は、管
腔１３の内径とほぼ同じか又は当該内径よりも僅かに大きい外径を有する中実の金属から
作製することができ、それによって、このプラグとこの管腔との間に締まり嵌めを作り出
すことができる。
【００２２】
遠位シース２４は、区画２３を覆うときに支持シャフト２１を取り囲み、その区画を選
択的に覆うか又は露出することができるように支持シャフトに対して摺動可能である。遠
位シース２４は、その遠位端においてインサート４０に固定され、このインサートを通じ
て内部シャフト２６及び遠位先端部１４に固定される。したがって、インサート４０への
遠位シース２４のこの接続によって、内部シャフト２６は、遠位シースの近位及び遠位へ
の双方の動きを制御することが可能になる。図１に示すように、遠位シース２４が区画２
３を完全に覆うとき、遠位シースの近位端１５がリテーナ１７に当接する。近位端１５は
、区画２３が少なくとも部分的に露出しているとき、リテーナ１７から離間している。
【００２３】
送達装置１０を用いて折り畳み可能人工心臓弁６を患者の体内の所望の位置に挿入する
ために、使用者は、まず、上記弁の大動脈端をリテーナ３０に取り付け、弁が遠位シース
２４の内側に嵌入するように弁をクリンプしてその直径を縮小することによって弁を区画
２３内に装着することができる。人工弁をそのようなリテーナに結合する好適なリテーナ
及び方法の例は、２０１０年７月１５日に出願された同時係属中の米国仮出願第６１／３
６４，４５３号に図示及び記載されている。この出願の開示内容は、引用することにより
本明細書の一部をなすものとする。
【００２４】
次に、使用者は、例えば患者の心尖の切開部を通して、遠位シース２４が患者の大動脈
弓内に位置決めされるまで、カテーテルアセンブリを前進させて、カテーテルアセンブリ
１６を患者の体内に挿入することができる。次に、内部シャフト２６及び遠位シース２４
を支持シャフト２１及び当該支持シャフトに結合された弁６に対して遠位に摺動させ、そ
の結果、弁が、送達装置１０から解放されるまで露出することになり、自己拡張すること
ができることによって、弁６を所望の位置に配備することができる。
【００２５】
カテーテルアセンブリ１６は、生理的食塩水等のフラッシュ液でフラッシュされるよう
になっている。ただし、他の任意の適切な液体を用いることができる。人工弁６の内部及
び周囲の領域を脱気する（すなわち、空気ポケット又は気泡を除去する）ためには、区画
２３及びポケット４３をフラッシュすることが望ましく、送達装置１０を目標位置に前進
させている間に内部シャフト２６を通じて挿入することができるガイドワイヤに潤滑を与
えるためには、この内部シャフトをフラッシュすることが望ましい。
【００２６】
カテーテルアセンブリ１６をフラッシュするために、使用者は、加圧されたフラッシュ
液を内部シャフト２６の管腔２５の近位端に注液することができる。内部シャフト２６の
管腔２５内の近位から遠位への圧力勾配によって、フラッシュ液は、図１に示す経路「Ａ
」に沿って内部シャフトの管腔を通って遠位に移動する。遠位先端部１４の管腔１３の遠
位端は、液密プラグ２８を用いて塞がれているので、フラッシュ液は、経路「Ｂ」に沿っ
て内部シャフト２６の管腔２５から開口部２７を通って流れ出て、ポケット４３に流れ込
む。
【００２７】
遠位シース２４内のポケット４３と区画２３との間の遠位から近位への圧力勾配によっ
て、フラッシュ液は、ポケットから経路「Ｃ」に沿ってリテーナ３０の外周部を回って近
位に移動し上記区画内に入る。フラッシュ液は、区画２３内の経路「Ｃ」に沿って近位に
移動し続け、遠位シースの近位端１５とリテーナ１７との間に生成された円筒形間隙１９
を通り経路「Ｄ」に沿ってその区画から外に出る。フラッシュ液が区画２３内を近位に移
動している間、フラッシュ液の一部は人工弁６を通って流れ、それによって、閉じ込めら
れた気泡は人工弁の外に押し出される。例示の液体流路「Ｃ」は、人工弁６の一方の側の
みに沿って延びるものとして示されているが、液体は、区画２３及び弁の全体を通って近
位に流れる。
【００２８】
フラッシュ液は、内部シャフトの近位端と円筒形間隙との間のフラッシュ液の圧力勾配
のために、単一のフラッシュするステップにおいて、内部シャフト２６の近位端から内部
シャフト内を通って遠位に移動し、開口部２７の外に移動し、その後、ポケット４３及び
区画２３を通って円筒形間隙１９へ近位に移動する。円筒形間隙１９まで経路Ａ、Ｂ、Ｃ
及びＤに沿って送達装置１０の外部の環境圧力にさらされることがないので、環境圧力を
上回る圧力をこれらの経路に沿って維持することができ、それによって、内部シャフト２
６の管腔２５、ポケット４３及び区画２３を、これらを脱気するのに十分な圧力でフラッ
シュすることが可能になる。その上、フラッシュ液は、カテーテルアセンブリ１６内を通
る連続した回路で内部シャフト２６、ポケット４３及び区画２３を通って移動するので、
カテーテルアセンブリをフラッシュするのに必要とされるフラッシュするステップは、（
ｉ）内部シャフト用と（ｉｉ）ポケット及び区画用との別々のフラッシュするステップで
はなく、単一のフラッシュするステップのみとすることができる。
【００２９】
次に図２を参照すると、フラッシュ液を通過させるための代替の構成を有する、図１の
送達装置と同様の送達装置１１０の遠位端が示されている。送達装置１１０では、インサ
ート１４０は、遠位先端部１１４の近位対向（proximal-facing）面１１５から離間した
遠位面１４１を有する。遠位面１４１及び近位対向面１１５は、それらの間に上部空間（
head space：上部空き高）１２７を画定している。複数の通路１２９が、インサート１４
０内を通って延在することができ、上部空間１２７を、インサート１４０とリテーナ１３
０との間に画定されたポケット１４３と相互接続することができる。
【００３０】
リテーナ１３０は、フラッシュ液がフラッシュプロセス中にリテーナ内を通ってポケッ
ト１４３から区画１２３に流れることを可能にする１つ又は複数の貫通孔１３２を備える
ことができる。リテーナ１３０は、ポケット１４３と区画１２３との間に液体連通をもた
らす任意の数及び構成の貫通孔１３２を備えることができる。リテーナ１３０に貫通孔１
３２が存在することによって、フラッシュ液がリテーナの外縁を回って流れるのではなく
、リテーナ内を通って近位に流れることが可能になる。フラッシュ液がリテーナ１３０内
を通るそのような直接的なルートによって、液体がリテーナを横断するときのフラッシュ
液内の圧力差を、液体がリテーナと遠位シース１２４との間を流れる結果生じる圧力差と
比較して低減することができる。この違いによって、内部シャフト１２６の近位端におい
てより低い初期フラッシュ液圧を用いることを可能にすることができる。送達装置１１０
のフラッシュ動作は、貫通孔１３２によってもたらすことができる圧力差の低減以外につ
いては、図１に関して図示及び説明した送達装置１０のフラッシュ動作と同様である。
【００３１】
図２に示す実施形態の一変形形態では、インサート１４０の遠位面１４１は、遠位先端
部１１４の近位対向面１１５に接触して、それらの間の上部空間１２７をなくすことがで
きる。そのような変形形態では、内部シャフトの管腔１２５と複数の通路１２９との間に
流れ連通をもたらすように、内部シャフト１２６及びインサート１４０内に１つ又は複数
の流路を確立することができる。この流路は、内部シャフト１２６の周全体を通りインサ
ート１４０を通って通路１２９まで延在する開放型リザーバ（open reservoir）の形態と
することができる。代替的に、流路は、管腔１２５を通路１２９と相互接続する複数の径
方向に突き出しているチャネル（channel：溝）の形態とすることができる。
【００３２】
図２に示す実施形態の別の変形形態では、複数の通路１２９を互いに併合し、インサー
ト１４０内を通って延在する単一の通路を形成することができる。そのような単一の通路
は、内部シャフト１２６の周りに部分的に又は実質的に連続して延在する環状通路とする
ことができる。単一の環状通路が内部シャフト１２６の周りに実質的に連続して延在する
変形形態では、１つ又は複数の網目構造の材料（webs of material）又は他の接続部が、
好ましくは、インサート１４０の、内部シャフトに隣接した部分と、このインサートの、
遠位シース１２４に隣接した部分との間に設けられ、そのため、内部シャフトの長手方向
の動きの結果、遠位シースが対応して動くことになる。そのような単一の環状通路は、上
部空間１２７からポケット１４３へのフラッシュ液のより多くの量の流れをもたらす。
【００３３】
次に図３を参照すると、フラッシュ液を通過させるための別の代替の構成を有する、図
１と同様の送達装置２１０が示されている。送達装置２１０は、着脱可能プラグが遠位先
端部の管腔の遠位端に配置されるのではなく、内部シャフト２２６の近位端に液密シール
を生成する、当該内部シャフトの近位端に位置するハブ２２０に配置されたキャップ２２
８を備える。キャップ２２８が所定の位置にある状態で、フラッシュニードル２０１を遠
位先端部２１４の開口端に挿入し、フラッシュ液を送達装置２１０内に導入することがで
きる。フラッシュニードル２０１は、遠位先端部２１４内の管腔２１３の遠位端の内径と
ほぼ同じ寸法の外径又はそれよりも僅かに大きい外径を有するニードルシャフト２０２を
有することができ、それによって、このニードルシャフトと上記管腔との間に締まり嵌め
を作り出すことができる。
【００３４】
送達装置２１０をフラッシュするために、加圧されたフラッシュ液が、フラッシュニー
ドル２０１によって遠位先端部２１４の管腔２１３の遠位端内に導入される。遠位先端部
２１４の管腔２１３内の遠位から近位への圧力勾配によって、フラッシュ液は、図３に示
す経路Ａ’に沿って、遠位先端部の管腔を通り、内部シャフト２２６の管腔２２５内に入
ってそこを通り近位に移動する。内部シャフト２２６の管腔２２５の近位端は、液密キャ
ップ２２８を用いて蓋がされているので、管腔内の圧力の増加によって、フラッシュ液は
、管腔から内部シャフトの開口部２２７を通って流れ出て、ポケット２４３に流れ込む。
この液体は、ポケット２４３から、図１に示す経路Ｃ及びＤと実質的に同じ経路に沿って
区画２２３及び円筒形間隙２１９を通って流れる。
【００３５】
送達装置２１０をフラッシュするとき、内部シャフト２２６内の管腔２２５の、キャッ
プ２２８と開口部２２７との間の部分は、単に液体で満たされるだけで、十分にフラッシ
ュされない場合がある。それどころか、内部シャフト２２６の管腔２２５の最も遠位の部
分しか、フラッシュ液が通る近位経路Ａ’に沿ってフラッシュされない場合がる。したが
って、使用者は、図１を参照して上述したように内部シャフトの遠位端を塞ぎ、キャップ
２２８を取り除き、内部シャフトの近位端から内部シャフトをフラッシュすることによっ
て、第２の別個のフラッシュするステップを行うことを望む場合がある。代替的に、この
第２のフラッシュするステップは、内部シャフト２２６の管腔２２５のみをフラッシュす
ることを目的としているので、内部シャフトの遠位端を塞ぐ必要はなく、フラッシュ液は
、内部シャフトの近位端に流れ込み、内部シャフトの遠位端から流れ出すことができる。
そのような第２のフラッシュするステップは、ガイドワイヤが内部シャフト内を通って容
易に摺動することができるように、内部シャフト２２６の更なる潤滑をもたらすことがで
きる。
【００３６】
図１〜図３に示す送達装置では、内部シャフトの内部と遠位シース内のポケットとの間
に液体連通をもたらす特定の構造が示されている。本発明は、そのような液体連通をもた
らす任意の代替的な構造の使用も想定している。例えば、任意の数の開口部、空間及び／
又は通路を送達装置に設けて、内部シャフトの管腔とポケットとの間の液体連通を可能に
することができ、そのような開口部、空間及び／又は通路は、任意の形状を有することが
でき、内部シャフトの長手方向軸に対して任意の角度で延在することができる。
【００３７】
次に図４を参照すると、フラッシュ液を通過させるための更に別の代替の構成を有する
、図１の送達装置と同様の送達装置３１０が示されている。送達装置３１０は、ポケット
３４３からインサート３４０及び遠位先端部３１４内を通って遠位先端部の外部表面まで
延在する通路３２８を有する。
【００３８】
フラッシュニードル３０１が、遠位先端部３１４内を通って延在する通路３２８の直径
とほぼ同じ寸法の外径又はそれよりも僅かに大きい外径を有するニードルシャフト３０２
を有することができ、それによって、ニードルシャフトと通路との間に締まり嵌めを作り
出すことができる。好ましくは、遠位先端部３１４は、ポリエーテルブロックアミド（Ｐ
ｅｂａｘ（商標））等の柔軟な材料から作製され、通路３２８は、弁３０６を患者の体内
に送達する送達装置３１０の通常使用中において、ニードルシャフト３０２が引き抜かれ
た際に、ポケット３４３に収容されている液体が通路を通って流れ出ない十分な程度に自
己密封することができるようになっている。
【００３９】
送達装置３１０をフラッシュするために、加圧されたフラッシュ液がフラッシュニード
ル３０１によって通路３２８内に導入される。通路３２８内の遠位から近位への圧力勾配
によって、フラッシュ液は、図４に示す経路Ａ”に沿って、通路を通り、ポケット３４３
内へ近位に移動する。フラッシュ液は、ポケット３４３から、図１に示す経路Ｃ及びＤと
実質的に同じ経路に沿って区画３２３及び円筒形間隙３１９を通って流れる。
【００４０】
送達装置３１０のポケット３４３及び区画３２３をフラッシュするとき、内部シャフト
３２６はフラッシュされない。したがって、使用者は、内部シャフト３２６をその近位端
又は遠位端からフラッシュする第２の別個のフラッシュするステップを行うことを望む場
合がある。ポケット３４３及び区画３２３がフラッシュされるとき、内部シャフト３２６
はフラッシュされないので、管腔を有しない中実の内部シャフトを備える送達装置３１０
の一変形態様を提供することができることが理解されるべきである。そのような変形態様
の送達装置では、ポケット３４３及び区画３２３をフラッシュするプロセスは、上述した
ものと同じものとなる。
【００４１】
本発明は、外部環境と遠位シース内のポケットとの間に液体連通をもたらす任意の代替
的な構造体の使用も想定している。例えば、開口部又は１つ若しくは複数の通路を、遠位
先端部３１４、インサート３４０及び遠位シース３２４のうちの１つ又は複数に設けて、
外部環境とポケットとの間の液体連通を可能にすることができ、そのような開口部及び／
又は通路は、任意の形状を有することができ、内部シャフトの長手方向軸に対して任意の
角度で延在することができる。
【００４２】
本明細書では、折り畳み可能ステント構造体を有する人工弁の配備に関して様々な送達
装置を説明してきたが、これらの送達装置の全ては、他の目的に用いることもできる。特
に、これらの様々な送達装置を、弁を含まない従来の折り畳み可能ステントを保持及び送
達するのに用いることができる。
【００４３】
本明細書では、本発明を、人工弁の弁輪端が最初に配備される特定の実施形態に関して
説明してきたが、本発明は、弁の大動脈端が最初に配備される実施形態も想定しているこ
とが理解されるべきである。そのような実施形態では、弁のステント部分の弁輪端は、リ
テーナと係合することができる一方、ステントの大動脈端は、リテーナから離れていても
よく、最初にシースから引き出すことができる。
【００４４】
本発明は特定の実施形態を参照しながら本明細書において説明されてきたが、これらの
実施形態は本発明の原理及び応用形態を例示するにすぎないことは理解されたい。それゆ
え、添付の特許請求の範囲によって規定されるような本発明の趣旨及び範囲から逸脱する
ことなく、例示的な実施形態に数多くの変更を加えることができること、及び他の構成を
考案することができることは理解されたい。
【００４５】
種々の従属請求項及びそれらの従属請求項に記載の他の特徴は、初期の請求項において
提示されるのとは異なる方法において組み合わせることができることは理解されよう。ま
た、個々の実施形態との関連で説明された特徴は、記述される実施形態のうちの他の実施
形態と共用できることも理解されよう。
以下に本発明の実施形態を示す。
［実施形態１］
折り畳み可能人工心臓弁のための送達装置であって、
区画が周囲に画定されている支持シャフトであって、前記区画は、前記弁を組み付け状
態で受け入れるようになっている、支持シャフトと、
前記支持シャフト内を通って延在するとともに前記支持シャフトに対してその長手方向
軸に沿って摺動するようになっている内部シャフトであって、中を通る管腔を有する、内
部シャフトと、
遠位端において前記内部シャフトに作動的に接続されているとともに前記内部シャフト
とともに摺動可能である遠位シースであって、前記区画及び前記弁を選択的に覆い又は露
出させるようになっている、遠位シースと、
前記内部シャフトの前記管腔と前記区画との間に流れ連通をもたらす第１の流路と、
を備える、折り畳み可能人工心臓弁のための送達装置。
［実施形態２］
前記内部シャフトの遠位端に作動的に接続されている遠位先端部と、
前記遠位先端部と前記区画との間に介在している遠位リテーナと、
前記遠位リテーナと前記遠位先端部との間に画定されているポケットと、
を更に備える、実施形態１に記載の送達装置。
［実施形態３］
前記ポケットと前記区画との間に流れ連通をもたらす第２の流路を更に備える、実施形態２に記載の送達装置。
［実施形態４］
前記第２の流路は、前記遠位リテーナに少なくとも１つの貫通孔を備える、実施形態３に記載の送達装置。
［実施形態５］
前記第１の流路は、前記内部シャフトの壁に、前記内部シャフトの前記管腔と前記ポケ
ットとの間に流れ連通をもたらす開口部を備える、実施形態２に記載の送達装置。
［実施形態６］
インサートであって、前記ポケットに配置されているとともに該インサートと前記遠位
先端部との間に空き空間を画定している、インサートを更に備え、前記空き空間は、前記
内部シャフトの前記管腔と流れ連通し、前記インサートは、前記空き空間と前記ポケット
との間に延在する１つ又は複数の液体通路を備える、実施形態２に記載の送達装置。
［実施形態７］
前記区画の近位端に位置する近位リテーナと、
前記遠位シースの自由端と前記近位リテーナとの間に画定されている円筒形間隙と、
を更に備える、実施形態１に記載の送達装置。
［実施形態８］
折り畳み可能人工心臓弁のための送達装置であって、
区画が周囲に画定されている支持シャフトであって、前記区画は、前記弁を組み付け状
態で受け入れるようになっている、支持シャフトと、
前記支持シャフト内を通って延在するとともに前記支持シャフトに対してその長手方向
軸に沿って摺動するようになっている内部シャフトであって、中を通る管腔を有する、内
部シャフトと、
前記内部シャフトに作動的に接続されている遠位端を有するとともに前記内部シャフト
とともに摺動可能である遠位シースであって、前記区画及び前記弁を選択的に覆い又は露
出させるようになっている、遠位シースと、
前記内部シャフトの遠位端に作動的に接続されている遠位先端部であって、該送達装置
の外部と前記区画との間に流れ連通をもたらす通路を有する、遠位先端部と、
を備える、折り畳み可能人工心臓弁のための送達装置。
［実施形態９］
前記通路は、液体が該通路を通って前記区画から前記送達装置の前記外部に流れること
ができないように自己密封するようになっている、実施形態８に記載の送達装置。
［実施形態１０］
折り畳み可能人工心臓弁のための送達システムであって、
区画が周囲に画定されている支持シャフトであって、前記区画は、前記弁を組み付け状
態で受け入れるようになっている、支持シャフトと、
前記支持シャフト内を通って延在するとともに前記支持シャフトに対してその長手方向
軸に沿って摺動するようになっている内部シャフトであって、中を通って送達装置の外部
と流れ連通している管腔を有する、内部シャフトと、
遠位端において前記内部シャフトに作動的に接続されているとともに前記内部シャフト
とともに摺動可能である遠位シースであって、前記区画及び前記弁を選択的に覆い又は露
出させるようになっている、遠位シースと、
前記内部シャフトの前記管腔と前記区画との間に流れ連通をもたらす第１の流路と、
該送達装置に接続して、前記内部シャフトの前記管腔と該送達装置の前記外部との間の
前記流れ連通を遮断するようになっている着脱可能プラグと、
を備える、折り畳み可能人工心臓弁のための送達システム。
［実施形態１１］
前記内部シャフトの近位端に接続して、該内部シャフトの該近位端に液密シールを生成
するようになっている着脱可能キャップを更に備える、実施形態１０に記載の送達システム。
［実施形態１２］
前記内部シャフトの遠位端に作動的に接続されている遠位先端部と、
フラッシュ液を前記遠位先端部を通して前記区画に供給するようになっている中空ニー
ドルシャフトを有するフラッシュニードルと、
を更に備える、実施形態１０に記載の送達システム。
［実施形態１３］
前記内部シャフトの遠位端に作動的に接続されている遠位先端部と、
前記遠位先端部と前記区画との間に介在している遠位リテーナと、
前記遠位リテーナと前記遠位先端部との間に画定されているポケットと、
を更に備える、実施形態１０に記載の送達システム。
［実施形態１４］
前記ポケットと前記区画との間に流れ連通をもたらす第２の流路を更に備える、実施形態１３に記載の送達システム。
［実施形態１５］
前記第２の流路は、前記遠位リテーナに少なくとも１つの貫通孔を備える、実施形態１４に記載の送達システム。
［実施形態１６］
前記第１の流路は、前記内部シャフトの壁に、前記内部シャフトの前記管腔と前記ポケ
ットとの間に流れ連通をもたらす開口部を備える、実施形態１３に記載の送達システム。
［実施形態１７］
インサートであって、前記ポケットに配置されているとともに該インサートと前記遠位
先端部との間に空き空間を画定している、インサートを更に備え、前記空き空間は、前記
内部シャフトの前記管腔と流れ連通し、前記インサートは、前記空き空間と前記ポケット
との間に延在する１つ又は複数の液体通路を備える、実施形態１３に記載の送達システム。
［実施形態１８］
折り畳み可能人工心臓弁のための送達装置をフラッシュする方法であって、
区画が周囲に画定されている支持シャフトと、前記支持シャフト内を通って延在すると
ともに前記支持シャフトに対してその長手方向軸に沿って摺動するようになっている内部
シャフトと、前記内部シャフトに作動的に接続されている遠位端、及び近位端を有し、前
記内部シャフトとともに摺動可能である遠位シースとを備える送達装置を準備するステッ
プと、
折り畳み可能人工心臓弁を前記区画に取り付けるステップと、
前記遠位シースを摺動させて、前記区画及び前記弁を覆う、摺動させるステップと、
液体を前記区画の遠位端から該区画の近位端に該区画を通してフラッシュするステップ
と、
を含む、折り畳み可能人工心臓弁のための送達装置をフラッシュする方法。
［実施形態１９］
前記フラッシュするステップは、前記液体を、前記遠位シースの前記近位端における開
口を通して前記区画の外に流すステップを含む、実施形態１８に記載の方法。
［実施形態２０］
前記フラッシュするステップは、前記液体を、前記内部シャフトの近位端から前記内部
シャフトの遠位端に向かう方向に前記内部シャフト内の管腔を通して流すステップと、前
記液体を、前記内部シャフトの前記管腔から前記区画に流すステップとを含む、実施形態１８に記載の方法。
［実施形態２１］
前記フラッシュするステップは、前記液体を、前記内部シャフトの前記管腔から前記区
画に前記内部シャフトの壁にある開口部を通して流すステップを含む、実施形態２０に記載の方法。
［実施形態２２］
前記送達装置は、前記内部シャフトの前記遠位端に作動的に接続されている遠位先端部
と、前記遠位先端部と前記区画との間に介在している遠位リテーナと、前記遠位リテーナ
と前記遠位先端部との間に画定されているポケットと、インサートであって、前記ポケッ
トに配置されているとともに該インサートと前記遠位先端部との間に空き空間を画定して
いる、インサートとを更に備え、前記フラッシュするステップは、前記液体を、前記内部
シャフトの前記管腔から前記空き空間に流し、前記空き空間から前記インサートを通して
前記ポケットに流し、前記ポケットから前記遠位リテーナを通して前記区画に流すステッ
プを含む、実施形態２０に記載の方法。
［実施形態２３］
前記フラッシュするステップは、前記液体を、前記内部シャフトの遠位端から前記内部
シャフトの近位端に向かう方向に前記内部シャフト内の管腔を通して流すステップと、前
記液体を前記内部シャフトの前記管腔から前記区画に流すステップとを含む、実施形態１８に記載の方法。
［実施形態２４］
前記送達装置は、前記内部シャフトの遠位端に作動的に接続されている遠位先端部を更
に備え、前記遠位先端部は通路を有し、前記フラッシュするステップは、前記液体を、前
記通路を通して前記区画の前記遠位端に流すステップを含む、実施形態１８に記載の方法。
【図１】
0006267277.tif 000002
【図２】
0006267277.tif 000003
【図３】
0006267277.tif 000004
【図４】
0006267277.tif 000005